(57)【特許請求の範囲】
【請求項１】
吸込み口と吹出し口とを連通する通風路中に、室内熱交換器と室内送風機を配置する室内機本体と、
前記室内機本体内における前記室内熱交換器の前記通風路上流側に備えられ、前記吸込み口から吸込まれる室内空気を濾過するエアフィルタと、
前記室内熱交換器の前面側に取付けられ、エアフィルタを支持するエアフィルタ支持枠と、
前記エアフィルタ支持枠の下部に設けられ、エアフィルタに付着したホコリを除去し清掃するエアフィルタ清掃装置と、を具備し、
前記エアフィルタ清掃装置は、
前記エアフィルタを所定方向に移動させるエアフィルタ送り手段および、このエアフィルタ送り手段により移動するエアフィルタに対しエアフィルタに付着するホコリを除去するホコリ掻き取り手段とで構成される清掃ユニット体と、
前記清掃ユニット体の前記ホコリ掻き取り手段が掻き落したホコリを収容するダストボックスと、を備え、
前記ダストボックスは、
前記ダストボックスの上部でかつ左右側部から左右方向へ突出して設けられ、前記エアフィルタ支持枠の掛合部に着脱自在に嵌め込み可能な軸部と、
前記ダストボックスの左右側部でかつ前記軸部の下方に設けられた把手部と、
前記ダストボックスの上下方向の中央部に設けられ左右方向に移動自在に取付けられた帯状の固定部材と、
前記固定部材に設けられ、前記エアフィルタ支持枠に設けられた孔部に挿入可能であって、前記固定部材が移動方向の一方側に位置しているときに前記孔部の周囲部分に係合してロック状態になり、前記固定部材が移動方向の他方側に位置しているときに前記ロック状態を解除する引掛け固定部と、
前記固定部材に設けられ、前記ダストボックスの前面側でかつ上下方向において前記軸部と前記把持部との間に設けられた波型状のロック操作部と、を有し、
前記ダストボックスは、前記軸部を前記係合部に嵌め込んだ状態で前記ロック操作部が押されると、前記軸部を支点として前記ダストボックスの下端部が回動して押し込まれて前記清掃ユニット体の所定部位に係合する、
空気調和器の室内機。
【請求項２】
さらに、前記固定部材には、確認用窓が開口され、
前記ダストボックスの表面に、前記固定部材の移動方向に互いに異なる報知用部が設けられ、
前記ロック操作部による前記固定部材の移動位置に応じて、前記確認用窓からいずれか一方の報知用部が露出する
ことを特徴とする請求項１記載の空気調和機の室内機。
【請求項３】
前記互いに異なる報知用部は、前記固定部材が前記ダストボックスをロック位置に移動したときと、ロック解除位置に移動したときに、互いに異なる模様もしくは互いに異なる色に形成される
ことを特徴とする請求項２記載の空気調和機の室内機。
【請求項４】
前記ダストボックスは、ロック位置に移動することにより前記清掃ユニット体に仮止めする仮止め用爪部を有する
ことを特徴とする請求項１記載の空気調和機の室内機。
【発明の詳細な説明】
【技術分野】
【０００１】
本発明の実施形態は、エアフィルタ清掃装置を備えた空気調和機の室内機に関する。
【背景技術】
【０００２】
空気調和機の室内機は、室内機本体内に収容される室内熱交換器の通風路上流側にエアフィルタを備え、本体内に吸込まれた室内空気を濾過して、清浄化した空気を室内熱交換器に導く。ホコリはエアフィルタに捕捉され、長期の使用に亘ればエアフィルタにホコリが堆積して、目詰まりが進行する。
【０００３】
この状態で使用し続けると、付着したホコリにより室内熱交換器に導入される風量が減少して、空調能力が低下する。ユーザーは、適宜間隔でエアフィルタを取外し、エアフィルタからホコリを除去する必要がある。しかしながら、この作業は手間がかかり面倒であるので、エアフィルタを取外さず、そのまま空調運転を行わせることが多い。
【０００４】
これに対応するため、たとえば［特許文献１］に示されるように、エアフィルタ清掃装置を備えた空気調和機が開発されている。このエアフィルタ清掃装置は、エアフィルタ表面のホコリを掻き取る螺旋状のブレードと、掻き取ったホコリを収容するダストボックスとから構成される。
【先行技術文献】
【特許文献】
【０００５】
【特許文献１】特開２０１１−２１８０２号公報
【発明の概要】
【発明が解決しようとする課題】
【０００６】
このことにより、常にエアフィルタの目詰まりが無くなって、効率的な空調運転が長期に亘り得られるとともに、ユーザーにとってはエアフィルタを清掃する手間が不要となり、取扱い性の軽減化が得られる。
【０００７】
ところで、掻き落したホコリはダストボックスに溜り、所定期間を経た段階で、ダストボックス内のホコリが満杯になる。このとき、室内機本体からユーザーに対して何らかの手段で報知をなすので、ユーザーは早速、以下の手順でダストボックスを室内機本体から取外す必要がある。
【０００８】
前記特許文献の場合、室内機本体の前面に取付けられる吸込みグリルを開放し、固定具を操作して清掃ユニット体とともにダストボックスのロックを外す。つぎに、清掃ユニット体を残し、室内機本体からダストボックスを取外して、別の位置で内部に溜ったホコリを除去する。
【０００９】
室内機本体に取付けるには、ダストボックス全体を押さえて、ダストボックスと清掃ユニット体を一体化する。つぎに、その状態を保持したまま固定具を操作してダストボックスを室内機本体の所定部位に固定する。
【００１０】
したがって、ダストボックスの取付け取外しの際は、上記した操作を的確に実施する必要がある。また、固定具が確実にロックされないと、室内機本体とダストボックスとの間に隙間が生じて、ダストボックスからホコリが漏れる虞れがあり、あるいは、清掃ユニット体が正常に作動しなくなる不具合が生じることがある。
【００１１】
そこで、ダストボックスの取付け取外しを確実に行わせるために、室内機の内側などに、操作の手順書を貼り付けておいたり、あるいは、付属の取扱い説明書を見ながら行うように使用者に説明していた。
【００１２】
本実施の形態は、ダストボックスを室内機本体に装着し固定する際、意識しなくても確実に固定できる構造にすることで、いちいち説明書を見なくても確実に着脱が行えるようにして、ダストボックスの着脱操作性の簡素化を図り、ホコリ掻き取り性能の安定化を得られる空気調和機の室内機を提供しようとするものである。
【課題を解決するための手段】
【００１３】
本実施の形態における空気調和器の室内機は、吸込み口と吹出し口とを連通する通風路中に、室内熱交換器と室内送風機を配置する室内機本体と、前記室内機本体内における前記室内熱交換器の前記通風路上流側に備えられ、前記吸込み口から吸込まれる室内空気を濾過するエアフィルタと、前記室内熱交換器の前面側に取付けられ、エアフィルタを支持するエアフィルタ支持枠と、前記エアフィルタ支持枠の下部に設けられ、エアフィルタに付着したホコリを除去し清掃するエアフィルタ清掃装置と、を具備する。前記エアフィルタ清掃装置は、前記エアフィルタを所定方向に移動させるエアフィルタ送り手段および、このエアフィルタ送り手段により移動するエアフィルタに対しエアフィルタに付着するホコリを除去するホコリ掻き取り手段とで構成される清掃ユニット体と、前記清掃ユニット体の前記ホコリ掻き取り手段が掻き落したホコリを収容するダストボックスと、を備える。前記ダストボックスは、前記ダストボックスの上部でかつ左右側部から左右方向へ突出して設けられ、前記エアフィルタ支持枠の掛合部に着脱自在に嵌め込み可能な軸部と、前記ダストボックスの左右側部でかつ前記軸部の下方に設けられた把手部と、前記ダストボックスの上下方向の中央部に設けられ左右方向に移動自在に取付けられた帯状の固定部材と、前記固定部材に設けられ、前記エアフィルタ支持枠に設けられた孔部に挿入可能であって、前記固定部材が移動方向の一方側に位置しているときに前記孔部の周囲部分に係合してロック状態になり、前記固定部材が移動方向の他方側に位置しているときに前記ロック状態を解除する引掛け固定部と、前記固定部材に設けられ、前記ダストボックスの前面側でかつ上下方向において前記軸部と前記把持部との間に設けられた波型状のロック操作部と、を有する。前記ダストボックスは、前記軸部を前記係合部に嵌め込んだ状態で前記ロック操作部が押されると、前記軸部を支点として前記ダストボックスの下端部が回動して押し込まれて前記清掃ユニット体の所定部位に係合する。
【図面の簡単な説明】
【００１４】
【図１】第１の実施形態に係る、空気調和機の室内機の縦断面図。
【図２】同実施形態に係る、室内機の吸込みグリルを開放した状態の斜視図。
【図３】同実施形態に係る、吸込みグリルを開放し、要部を拡大した斜視図。
【図４】同実施形態に係る、ダストボックスの斜視図。
【図５】同実施形態に係る、図１のＬ−Ｌ線に沿う一部横断上面図。
【図６】第２の実施形態に係る、固定部材でロックしたダストボックスの一部正面図と、固定部材のロックを解除したダストボックスの一部正面図。
【図７】同実施の形態に係る、ダストボックスから固定具と報知用部（シール）を分解した状態の斜視図。
【図８】第３の実施形態に係る、清掃ユニット体とダストボックスの斜視図。
【図９】同実施形態に係る、清掃ユニット体にダストボックスを組み込んだ状態の縦断面図。
【図１０】同実施形態に係る、空気調和機の室内機の一部を縦断面にした側面図。
【発明を実施するための形態】
【００１５】
以下、第１の実施形態を、図面にもとづいて説明する。  
図１は、運転停止状態時の空気調和機の室内機を概略的に示す縦断面図である。（なお、説明中に符号を付していない部品は図示していない。図示しても符号を付していない部品もある。以下同じ）
室内機本体１は、前面、上面および左右両側面筐体を構成する前面パネル２と、背面と前面一部を構成する後本体３とからなる。室内機本体１の正面視は、上下方向の寸法に対して左右幅方向の寸法が大きく、全体的に横長状に形成される。
【００１６】
前面パネル２の上面部に吸込み口５が設けられていて、この吸込み口５を備えた上面部と、板体からなる前面部は一体化されるとともに、上面部後端を枢支部とした開閉パネル２Ａを備える。通常、開閉パネル２Ａは図１のように閉成されるが、メンテナンス時などは、後述するように開閉パネル２Ａを開放して室内機本体１内部を露出できる。
【００１７】
前面パネル２の下面部に吹出し口６が設けられ、この吹出し口６には吹出しルーバー７ａ，７ｂが並んで設けられる。これら吹出しルーバー７ａ，７ｂは、リモコン（リモートコントロール）から発信される運転／停止信号を受けて吹出し口６を開閉し、選択された運転の種類に応じて開放角度が異なるよう制御される。
【００１８】
前面パネル２の上面部には、吸込み口５が開口し、この吸込み口５の一部にエアフィルタ案内口８が形成されている。このエアフィルタ案内口８は吸込み口５内の手前側に形成している。
【００１９】
吸込み口５には複数の空間部に仕切る枠状の桟が嵌め込まれている。吸込み口５内に形成されるエアフィルタ案内口８は、左右幅方向寸法が、吸込み口５の左右幅方向寸法と略同一の寸法に形成され、前後方向寸法は極く僅かであり、その中の空間部に桟が形成されていない。吸込み口５とエアフィルタ案内口８は、それぞれ常時、開放状態にある。
【００２０】
後本体３には、室内熱交換器１０および室内送風機１１が取付けられるとともに、この室内熱交換器１０の前面側に、エアフィルタＦを支持するエアフィルタ支持枠Ｗが取付けられる。エアフィルタ支持枠Ｗの外側から前面パネル２が装着され、室内機本体１が構成される。
【００２１】
室内機本体１内には、室内送風機１１を作動することで、吸込み口５と吹出し口６とを連通する通風路Ｒが形成され、この通風路Ｒにエアフィルタ支持枠Ｗと、室内熱交換器１０と、室内送風機１１が順次配置される構成となる。
【００２２】
室内熱交換器１０は、前側熱交換器部１０Ａと後側熱交換器部１０Ｂとで略逆Ｖ字状に形成される。前側熱交換器部１０Ａは、エアフィルタＦを介して前面パネル２の前面部と吸込み口５を備えた上面部と対向するよう湾曲状に形成される。後側熱交換器部１０Ｂは、直状で斜めに傾斜し、エアフィルタＦを介して吸込み口５一部と対向している。
【００２３】
室内熱交換器１０は図示しない室外機に収容される圧縮機および室外熱交換器などと冷媒管を介して連通されていて、これらで冷凍サイクルが構成される。  
室内送風機１１は、室内熱交換器１０の前後側熱交換器部１０Ａ，１０Ｂ相互間に配置され、室内機本体１の一側端のスペースに配置されたファンモータと、このファンモータの回転軸に連結される横流ファンとから構成される。横流ファンの軸方向長さは室内熱交換器１０の幅方向長さと略同一に設定され、互いに対向するように配置される。
【００２４】
前側熱交換器部１０Ａの下端部は前ドレンパン１２ａ上に配置され、後側熱交換器部１０Ｂの下端部は後ドレンパン１２ｂ上に配置される。前、後ドレンパン１２ａ，１２ｂは、それぞれ後本体３に形成され、前、後各熱交換器部１０Ａ，１０Ｂから滴下するドレン水を受けて、図示しない排水ホースを介し屋外へ排水できるようになっている。
【００２５】
前、後ドレンパン１２ａ，１２ｂの一部側壁外面は室内送風機１１に近接して設けられ、室内送風機１１の横流ファンに対するノーズを構成している。室内送風機１１を駆動することにより、ノーズから吹出し口６に至る間が、通風路Ｒにおける吹出し側となり、吸込み口５から室内熱交換器１０に至る間が、通風路Ｒにおける吸込み側になる。
【００２６】
前記エアフィルタ支持枠Ｗは、前面パネル２の前面部と対向するとともに、前側熱交換器部１０Ａと間隙を存して曲成される。さらに、前面パネル２上面部の吸込み口５と対向し、後側熱交換器部１０Ｂ上面と間隙を存して曲成される。このエアフィルタ支持枠Ｗに支持されるエアフィルタＦも、エアフィルタ支持枠Ｗと同様の曲成形状をなす。
【００２７】
エアフィルタ支持枠Ｗの下端部に、エアフィルタ清掃装置Ｓが設けられる。前面パネル２が取付けられた状態で、エアフィルタ清掃装置Ｓは開閉パネル２Ａによって遮蔽され外部から見えない。
【００２８】
エアフィルタ支持枠Ｗは、複数の縦桟と横桟が所定間隔を存して平行に組立てられる前面枠体１４ａおよび後面枠体１４ｂを前後に組合せ、これら前面枠体１４ａと後面枠体１４ｂの縦桟相互間に、仕切りガイド桟１４ｃが設けられてなる。エアフィルタ支持枠Ｗの中央部の縦桟を境に、左右両側に合計２枚のエアフィルタＦが支持される。
【００２９】
さらに、エアフィルタ支持枠Ｗは、下端部がエアフィルタ清掃装置Ｓの前面側上端と後面側上端に載った状態で上方へ向って緩く湾曲成される。そして、吸込み口５と室内熱交換器１０上端との間の空間スペースに沿って延出され、先端部は後本体３の背面側板部に当接する。
【００３０】
前面枠体１４ａの、室内機本体１上面部に設けられるエアフィルタ案内口８と対向する位置に開口部ａが設けられていて、この開口部ａはエアフィルタ案内口８と略同一の形状寸法に開口される。  
後面枠体１４ｂの、前面枠体１４ａの開口部ａと対向する部位が欠落し、ここに可動ガイドＫが設けられる。可動ガイドＫは、エアフィルタ支持枠Ｗの左右両側部の縦桟と、中央部の縦桟とに亘って設けられる支軸に回動自在に支持される。
【００３１】
仕切りガイド桟１４ｃの上端部は、可動ガイドＫの近傍部位まで延出していて、ここから前後面枠体１４ａ，１４ｂの先端部までは仕切りガイド桟１４ｃは介在せず、前面枠体１４ａと後面枠体１４ｂで空間スペースが確保されている。
【００３２】
エアフィルタ支持枠Ｗにおける、エアフィルタ清掃装置Ｓとの連結部から開口部ａまでの前面枠体１４ａと仕切りガイド桟１４ｃとの空間スペースと、開口部ａから後本体３の背面側板部と当接する先端部までの前面枠体１４ａと後面枠体１４ｂとの空間スペースとで、第１のガイド路Ｇ１が形成される。
【００３３】
さらに、エアフィルタ清掃装置Ｓとの連結部から可動ガイドＫまでの後面枠体１４ｂと仕切りガイド桟１４ｃとの空間スペースと、可動ガイドＫから第１のガイド路Ｇ１と交差し、開口部ａおよびエアフィルタ案内口８を介して室内機本体１上面部の上方部位に至る経路として、第２のガイド路Ｇ２が形成される。
【００３４】
エアフィルタ清掃装置Ｓが作用することで、第１のガイド路Ｇ１に収容されるエアフィルタＦは、エアフィルタ清掃装置Ｓを通過し、さらに第２のガイド路Ｇ２に沿って移動付勢されるようになっている。
【００３５】
前記エアフィルタＦは、矩形状の周辺枠に複数本の縦桟部と横桟部が所定間隔を存して掛け渡され、これら周辺枠と縦桟部および横桟部との間には、極薄のシート部が一体に設けられる。シート部には、空気の流通を許容し、空気に含まれるホコリは捕捉する大きさの通気孔が縦横整然と並んで設けられ、実質的にフィルタ部となっている。
【００３６】
エアフィルタＦを構成する縦桟部の裏面側には、この全長に亘って歯部が連続して設けられ、タイミングベルト状をなす。縦桟部はエアフィルタＦの下端部から上端部に亘って設けられるところから、エアフィルタＦは上下方向に沿って移動自在に支持されることになる。
【００３７】
つぎに、前記エアフィルタ清掃装置Ｓについて詳述する。  
図２は、同じ空気調和運転の停止時において開閉パネル２Ａを開放した室内機の斜視図。図３は、図２の一部を拡大した斜視図。図４は、ダストボックス３０の正面図。図５は、図１のＬ−Ｌ線に沿う一部横断上面図であり、清掃ユニット体２０にダストボックス３０を組合せた状態で、図の上部側が実際の前面部であり、図の下部側が実際の後面部である。以上、図１とともに説明する。
【００３８】
前記エアフィルタ清掃装置Ｓは、エアフィルタ支持枠Ｗの下端部に取付けられる清掃ユニット体２０と、この清掃ユニット体２０のさらに下部で、エアフィルタ支持枠Ｗに着脱自在に取付けられるダストボックス３０からなる。
【００３９】
たとえば、メンテナンス作業の際は、図２に示すように前面パネル２の一部を構成する開閉パネル２Ａを開放する。すると、開閉パネル２Ａによって覆われていた室内機本体１内の前面部が開放され、エアフィルタ清掃装置Ｓを構成するダストボックス３０と、エアフィルタ支持枠Ｗに取付けられるエアフィルタＦが見える。
【００４０】
前記清掃ユニット体２０は、ユニット枠（ケーシング）２１に、送りギヤと、ホコリ押上げブラシ２２Ａを設けた第１の回転軸を備えるとともに、ホコリ掻き取りブレード２２Ｂを設けた第２の回転軸を備えている。ホコリ押上げブラシ２２Ａとホコリ掻き取りブレード２２Ｂとで、ホコリ掻き取り手段２２を構成する。
【００４１】
第１の回転軸に設けられる送りギヤはエアフィルタＦの歯部に噛合し、かつ第１の回転軸は駆動モータに連結される。第２の回転軸は、別の駆動モータに連結される。送りギヤと、第１の回転軸および駆動モータとで、エアフィルタ送り手段２３を構成する。
【００４２】
ホコリ押上げブラシ２２Ａは、円筒体の周面にブラシ毛が植毛されていて、各ブラシ毛は第１の回転軸の軸芯に対して略直立し、その直径はエアフィルタＦの通風孔寸法よりも細いものが選択されている。実際に、ホコリ押上げブラシ２２Ａのブラシ毛先端はエアフィルタＦのシート部（フィルタ部）に挿入するように組立てられる。
【００４３】
ホコリ掻き取りブレード２２Ｂは、第２の回転軸の周方向に間隔を存し、かつ第２の回転軸の軸方向に沿って螺旋状に曲成される複数条のブレード片からなる。これらブレード片は、薄肉の弾性部材（たとえばゴム材）が用いられる。
【００４４】
ユニット枠２１に、第１の回転軸と第２の回転軸は、互いに平行に備えられる。したがって、第１の回転軸に設けられるホコリ押上げブラシ２２Ａと、第２の回転軸に設けられるホコリ掻き取りブレード２２Ｂとは互いに平行であり、ホコリ押上げブラシ２２Ａ先端とホコリ掻き取りブレード２２Ｂ先端は、互いに摺接するよう取付けられる。
【００４５】
前記ダストボックス３０は、その大部分は透明な合成樹脂材（たとえば、アクリル板）からなり、外部から内部が見え、収容されるホコリの量が分る。ホコリ掻き取りブレード２２Ｂの下部側に対向する部位に、ホコリを収容するための充分な空間スペースである集塵部が形成される。
【００４６】
図４に示すように、ダストボックス３０の上端部で、左右両端部と略中央部に軸部３１が設けられる。これら軸部３１は、エアフィルタ支持枠Ｗに設けられる掛合部に着脱自在に嵌め込まれる。
【００４７】
図３および図４に示すように、ダストボックス３０の左右の一方片側端部または左右両側端部には、把手部３２が設けられる。エアフィルタ支持枠Ｗに取付けられたダストボックス３０に対し、把手部３２を持って手前側に引き出すことにより、ダストボックス３０はエアフィルタ支持枠Ｗから容易に取外し可能である。
【００４８】
ダストボックス３０の上下方向の略中央部に、帯状の固定部材３３Ａ，３３Ｂが設けられる。これら固定部材３３Ａ、３３Ｂは、ダストボックス３０の左右幅方向の略中央部を境に、左右２本あって、それぞれが略中央部から左右方向に移動自在に取付けられる。
【００４９】
右側固定部材３３Ａの右側端部と、左側固定部材３３Ｂの左側端部には、それぞれ移動方向とは直交する方向に、細かな凹凸が連続する波型状のロック操作部３５が設けられる。ロック操作部３５を押すことでダストボックス３０は軸部３１を支点として、この下端部が回動して押し込まれ、清掃ユニット体２０の所定部位に掛合する。
【００５０】
さらに、この状態を保持しながらロック操作部３５を左右に移動操作することで、左右両側の固定部材３３Ａ，３３Ｂを左右方向へ移動操作することができる。しかも、ロック操作部３５には、移動方向と直交する方向に細かな凹凸が連続する波型状に形成されているから、操作時の滑り止めをなし、移動操作が容易に行える。
【００５１】
特に図５に示すように、右側固定部材３３Ａの右側端部と中央部および左側端部の裏面側には、略Ｌ字状の引掛け固定部ｄが設けられている。ダストボックス３０を所定部位に取付けた状態で、引掛け固定部ｄがエアフィルタ支持枠Ｗに設けられる孔部ｅに挿入される。左側の固定部材３３Ｂにおいても対称的に引掛け固定部が設けられ、エアフィルタ支持枠Ｗの孔部ｅに挿入される。
【００５２】
右側固定部材３３Ａに設けられるロック操作部３５を右方向へ移動操作することにより、引掛け固定部ｄが孔部ｅの周囲部分に掛合する。左側固定部材３３Ｂに設けられるロック操作部３５を左方向へ移動操作することにより、引掛け固定部ｄが孔部ｅの周囲部分に掛合する。
【００５３】
したがって、ダストボックス３０が確実にエアフィルタ支持枠Ｗにロック（固定）される。この状態から、右側固定部材３３Ａを左方向へ移動付勢し、左側固定部材３３Ｂを右方向へ移動付勢することで、引掛け固定部ｄが孔部ｅ周囲部分から離反し、ダストボックス３０のエアフィルタ支持枠Ｗに対するロックが解除となる。
【００５４】
特に、図３に拡大して示すように、右側の固定部材３３Ａの上部透明部分に２つのキー絵文字ｂ、ｃが描かれている。その意味は、右側の固定部材３３Ａにおいては、右方向へ移動操作することによりダストボックス３０をロック（固定）ｂでき、左方向へ移動操作することによりロック解除ｃとなることを示している。
【００５５】
図２および図４に概略で示すように、左側の固定部材３３Ｂの上部透明部分にも同様に２つのキー絵文字ｂ、ｃが描かれている。この固定部材３３Ｂを左方向へ移動操作することによりダストボックス３０をロック（固定）でき、右方向へ移動操作することによりロック解除となる。
【００５６】
図３（図４）に示すように、右側固定部材３３Ａの一部に確認用窓３７が設けられている。左側の固定部材３３Ｂの一部にも確認用窓３７が設けられる。そして、確認用窓３７から報知用部３８が露出する。報知用部３８は、ダストボックス３０がロック位置にあるときと、ロック解除との位置で、変化をもたせている。
【００５７】
つぎに、上述のように構成される空気調和機の室内機の作用について説明する。  
冷房運転もしくは暖房運転等の空調運転開始の信号が制御部に入ると、室外機に配置される圧縮機に駆動信号が送られて冷凍サイクル運転が開始され、同時に、室内送風機１１に駆動信号が送られる。
【００５８】
室内空気は吸込み口５から室内機本体１内に吸込まれ、吸込み側の通風路Ｒに沿って導かれる。はじめにエアフィルタＦを流通し、室内空気に含まれるホコリは捕捉される。濾過され清浄化した室内空気は、室内熱交換器１０を構成する前側熱交換器部１０Ａと後側熱交換器部１０Ｂに導かれる。
【００５９】
室内熱交換器１０と室内空気は熱交換をなし、冷房運転モードが選択されていれば、室内空気は冷気となり、暖房運転モードが選択されていれば暖気に変る。熱交換空気は吹出し側の通風路Ｒに沿って導かれ、吹出し口６から吹出しルーバー７ａ，７ｂに案内されて室内へ吹出される。
【００６０】
冷気が室内に吹出されることにより室内温度が低下し、冷房作用をなす。暖気が室内に吹出されることにより室内温度が上昇し、暖房作用をなす。いずれにしても、室内機本体１内に吸込まれた室内空気はエアフィルタＦを流通する際に、室内空気に含まれるホコリが捕捉され、常に清浄化した熱交換空気が室内に吹出されて、室内の清浄化をなす。
【００６１】
長期の使用に亘れば、エアフィルタＦに捕捉されたホコリが積もり、目詰りが生じる。そのまま放置すれば熱交換効率が低下して、冷房能力と暖房能力に悪影響が生じる。そこで、ユーザーは空調運転に先立ち、もしくは空調運転の終了後に、リモコンに設けられる、「おそうじボタン」を押す。
【００６２】
この信号が制御部に入ると、エアフィルタ清掃装置Ｓの駆動モータに駆動信号が送られ、第１の回転軸が回転駆動されて送りギヤとホコリ押上げブラシ２２Ａが一体に反時計回り方向に回転するとともに、第２の回転軸が回転駆動されてホコリ掻き取りブレード２２Ｂが時計回り方向に回転駆動される。
【００６３】
送りギヤに噛合する歯部を有するエアフィルタＦは、下端部からホコリ押上げブラシ２２Ａに接するよう移動付勢される。ホコリ押上げブラシ２２Ａのブラシ毛がエアフィルタＦの通風孔に挿入し、ここに詰まっていたホコリを押上げる。すなわち、ブラシ毛によってホコリは熱交換空気導入側である１次側へ押し出される。
【００６４】
さらに、送りギヤの回転にともなって、エアフィルタＦは下端部からホコリ押上げブラシ２２Ａとホコリ掻き取りブレード２２Ｂとの摺接部に導かれて通過する。このとき、ホコリ押上げブラシ２２ＡによってエアフィルタＦの１次側に押上げられたホコリは、１次側に配置されるホコリ掻き取りブレード２２Ｂによって効率よく掻き落される。  
ホコリ掻き取りブレード２２Ｂによって掻き落されたホコリは、ダストボックス３０内の集塵部に溜る。
【００６５】
このようなエアフィルタ清掃運転時に、エアフィルタＦは下端部からＵターンしてエアフィルタ清掃装置Ｓを通過する。さらに、エアフィルタＦはそれまでの下端部を先端にして第２のガイド路Ｇ２を上昇移動し、先端部が可動ガイドＫに当接する。
【００６６】
この可動ガイドＫは、回動支点を中心にして反時計回り方向に回動し、第１のガイド路Ｇ１を遮断する一方で、第２のガイド路Ｇ２を開放する。エアフィルタＦは、第１のガイド路Ｇ１と交差する交差点を通過して開口部ａ方向に導かれ、開口部ａを挿通して室内機本体１のエアフィルタ案内口８から上面部に突出する。  
エアフィルタＦの後端部が、ホコリ押上げブラシ２２Ａとホコリ掻き取りブレード２２Ｂとの摺接部を完全通過するまで、この状態が継続する。
【００６７】
エアフィルタＦの後端部が、前記部位を通過することで、エアフィルタ清掃装置ＳのエアフィルタＦに対する清掃作業が一旦、終了する。このことをセンサーあるいはモータの回転状態の検知などにより検知し、制御部に信号を送って第１の回転軸と第２の回転軸の回転を停止させる。
【００６８】
送りギヤとホコリ押上げブラシ２２Ａおよびホコリ掻き取りブレード２２Ｂは回転が停止する。エアフィルタＦの一部は室内機本体１の上面部に突出した状態で停止し、エアフィルタＦの大部分の面積の乾燥化が促進される。  
エアフィルタＦの清掃を選択したユーザーは、エアフィルタＦの一部が室内機本体１の上面部から突出しているのを目視でき、エアフィルタＦの清掃が実行されていることを確認できる。
【００６９】
エアフィルタＦに対して、この状態を一定時間継続した後、駆動モータに逆転の駆動信号が送られエアフィルタＦを再び移動付勢し、第２のガイド路Ｇ２から元の第１のガイド路Ｇ１に収容する位置に戻す。  
つぎの空調運転を開始しても、エアフィルタＦは完全に乾燥化しているので、ホコリがこびり付くことはなく、長期に亘って濾過効果を確保できる。そして、再度のエアフィルタＦの清掃時において、付着しているホコリを容易に除去できる。
【００７０】
このようなエアフィルタＦの清掃作業を複数回行えば、ダストボックス３０内にホコリが堆積する。ホコリが所定量堆積すると、これをセンサーが検知し、もしくは所定時間運転したことから制御部へ信号を送り、制御部はユーザーに対してホコリ排出を督促する報知をなす。ユーザーは、開閉パネル２Ａを開放してダストボックス３０を露出させる。
【００７１】
つぎに、左右両側の固定部材３３Ａ，３３Ｂのロック操作部３５に左右の手の指を当て、内側（略中央部）方向へ移動付勢する。この状態で、固定部材３３Ａ，３３Ｂの裏面に設けられる引掛け固定部ｄはエアフィルタ支持枠Ｗの孔部ｅ周囲部分から離間する。
【００７２】
さらに、ダストボックス３０の左右の一方片側端部または左右両側端部に設けられる把手部３２を持ち、手前側に引く。エアフィルタ支持枠Ｗの掛合部からダストボックス３０の軸部３１が外れ、ダストボックス３０を取外すことができる。このように、ダストボックス３０の室内機本体１からの取外しが、極めて容易に行える。  
このあと、別の部位にダストボックス３０を持ってゆき、集塵部に堆積したホコリを排除する。
【００７３】
きれいになったダストボックス３０を再び室内機本体１に取付けるために、ダストボックス３０の軸部３１をエアフィルタ支持枠Ｗの左右および中央の溝に掛合部に当てて嵌め込み、軸部３１を中心軸として回動しながらダストボックス３０が室内機本体１内に収納されるよう、ダストボックス３０前面下部を押し込む。そのとき、「カチッ」という音を発するようになっていて、掛合がなされたことを確認できる。
【００７４】
つぎに、左右の固定部材３３Ａ，３３Ｂの左右端部に設けられるロック操作部３５を押す。ダストボックス３０は軸部３１を支点として回動し、清掃ユニット体２０の所定部位に取付けられる。同時に、ダストボックス３０の右左両側の固定部材３３Ａ，３３Ｂの裏面側に設けられる引掛け固定部ｄが、エアフィルタ支持枠Ｗの孔部ｅに挿入する。
【００７５】
そのあと、ロック操作部３５を押しながら左右外側へ移動操作する。固定部材３３Ａ，３３Ｂの引掛け固定部ｄがエアフィルタ支持枠Ｗの孔部ｅ周囲部分に掛合し、ロック状態となる。したがって、極めて容易な操作で、ダストボックス３０と清掃ユニット体２０が一体化してエアフィルタ支持枠Ｗに確実に固定され、取付けが終了する。
【００７６】
以上を総括すれば、エアフィルタ清掃装置Ｓにおいて、清掃ユニット体２０がエアフィルタＦから除去したホコリをダストボックス３０に収容することで、ユーザーの手間を軽減できる。  
しかしながら、いずれはダストボックス３０に収容されるホコリが収容許容量を超えることになるので、これを室内機本体１から取外してダストボックス３０のホコリを排除しなければならない。
【００７７】
本実施形態によれば、ダストボックス３０は、固定部材３３Ａ，３３Ｂによりエアフィルタ支持枠Ｗに着脱自在に固定される。固定部材３３Ａ，３３Ｂは、長手方向に移動操作するが、移動方向と直交する方向に波型状のロック操作部３５を有し、移動操作時の滑り止めをなす。
【００７８】
したがって、ユーザーは、ダストボックス３０をエアフィルタ支持枠Ｗの取付け位置に嵌め込むことを意識していなくても、自然な動作によりダストボックス３０を固定位置に移動できる。取外しも簡単で、極めて容易に着脱操作ができ、ユーザーのメンテナンス性が向上する。
【００７９】
つぎに、第２の実施の形態を、図６（Ａ）（Ｂ）と図７にもとづいて説明する。  
図６（Ａ）は、ダストボックス３０の略中央部から右半分の正面図であり、図６（Ｂ）は、図６（Ａ）とは異なる状態のダストボックス３０の略中央部から右半分の正面図である。図７は、ダストボックス３０一部から、一方の固定部材３３Ａおよびシール部材４０を分解して示す斜視図である。
【００８０】
先に説明したように、左右の固定部材３３Ａ，３３Ｂの一部には確認用窓３７が設けられる。固定部材３３Ａ，３３Ｂを介してダストボックス３０がロック位置にあるとき、およびロック解除となる位置とで、確認用窓３７から見える部分に報知用部３８Ａに変化をもたせて、ダストボックス３０の状態を容易に確認できるようになっている。
【００８１】
ここでは、ダストボックス３０の内部に収容するホコリの量を確認し易くするために、ダストボックス３０を透明部材とする。そのうえで、固定部材３３Ａ，３３Ｂは、たとえば「橙色」などの有色部材とし、ダストボックス３０に対して固定部材を極端に目立つようにする。同時に、両側端部に設けられるロック操作部３５も容易に目立って、操作を確実に行うことができる。
【００８２】
さらに、固定部材３３Ａ，３３Ｂの移動操作にともなう確認用窓３７から露出する部分に対応した位置に、報知用部として色付きシール３８Ａを貼付する。  
この色付きシール３８Ａは、固定部材３３Ａ，３３Ｂを移動操作して、ダストボックス３０がロック位置にあるときに確認用窓３７から露出する場合と、ロック解除の位置にあるときに確認用窓３７から露出する位置にある場合とは、互いに異なる色になっている。
【００８３】
たとえば、ダストボックス３０をロック位置にスライドした場合に確認用窓３７から露出する色付きシール３８Ａの色部分を、固定部材３３Ａ，３３Ｂと同じ「橙色」とする。また、ダストボックス３０をロック解除位置に移動操作した場合に、確認用窓３７から露出する色付きシール３８Ａの色部分を、橙色とは反対色の「青色」とすれば、固定部材３３Ａ，３３Ｂの位置確認が極めて容易に行えて着脱操作性が向上する。
【００８４】
なお、報知用部としての色付きシール３８Ａを貼付するばかりでなく、ダストボックス３０に直接、２色の色部分、もしくは互いに異なる模様を印刷した報知用部を備えてもよい。色付きシール３８Ａを製作する手間と、貼付する手間が省けて、安価に提供できる。
【００８５】
つぎに、図８ないし図１０にもとづいて、第３の実施の形態を説明する。  
図８は、清掃ユニット体２０とダストボックス３０を分解して示す斜視図。図９は、清掃ユニット体２０とダストボックス３０の組立状態の縦断面図。図１０は、室内機本体１の一部を省略した縦断面図である。
【００８６】
図８に示すように、ダストボックス３０の背面側端部で、左右幅方向の略中間部に、仮止め用爪部５０を、ダストボックス３０と一体に設ける。この仮止め用爪部５０の数は１個に限定されるものではなく、左右両側端部にも設けても良い。  
上述したように、ダストボックス３０内部に収容するホコリを除去したあと、ダストボックス３０の軸部３１をエアフィルタ支持枠Ｗの掛合部に嵌め込んで、固定部材３３Ａ，３３Ｂのロック操作部３５を押し込む。
【００８７】
ダストボックス３０は軸部３１を支点として回動するが、このとき、図９に示すように、新たにダストボックス３０に設けた仮爪止め用爪部５０が清掃ユニット体２０の端部に掛合する。  
したがって、ダストボックス３０が清掃ユニット体２０から浮き上がることがなく、このあとの固定部材３３Ａ，３３Ｂにおける操作の確実性が増す。仮に、固定部材３３Ａ，３３Ｂに対する固定操作を忘れるようなことがあっても、ダストボックス３０がホコリ除去中のエアフィルタＦに絡むような異常の発生を確実に防止することができる。
【００８８】
なお、以上述べた実施の形態は、上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【符号の説明】
【００８９】
５…吸込み口、６…吹出し口、Ｒ…通風路、１０…室内熱交換器、１１…室内送風機、１…室内機本体、Ｆ…エアフィルタ、Ｓ…エアフィルタ清掃装置、２３…エアフィルタ送り手段、２２…ホコリ掻き取り手段、２０…清掃ユニット体、３０…ダストボックス、３３Ａ，３３Ｂ…固定部材、３５…ロック操作部、３８…報知用部、５０…仮止め用爪部。
【図１】
0005911310.tif 000002
【図２】
0005911310.tif 000003
【図３】
0005911310.tif 000004
【図４】
0005911310.tif 000005
【図５】
0005911310.tif 000006
【図６】
0005911310.tif 000007
【図７】
0005911310.tif 000008
【図８】
0005911310.tif 000009
【図９】
0005911310.tif 000010
【図１０】
0005911310.tif 000011